(57)【要約】【課題】清潔に保つことが容易な安価且つ軽量の玉箱及び箱体を提供する。【解決手段】底板３の下面と箱体２の底壁２ｅ内面とを対面させて底板３を箱体２の底壁２ｅ内面に取り付ける際、凸部３１，３１，…を第２凹部２１，２１，…に遊嵌させるか否かで、箱体２の内部のパチンコ玉を収容可能な空間の体積が増減する。第２凹部２１の内部空間は四角錐台状をなしており、第２凹部２１の底面２１ａと傾斜面２１ｂ，２１ｂ，…夫々とは鈍角状に交わる。また、隣り合う傾斜面２１ｂ，２１ｂ同士も鈍角状に交わる。従って、第２凹部２１の隅に汚れが溜まりにくい。また、このような第２凹部２１の内部は清掃が容易である。更に、凸部３１，３１，…と第２凹部２１との間に遊びが存在するため、第２凹部２１の内部を広くしても凸部３１を大型化させる必要はない。このため、底板３を形成する材料の量が必要最小限に抑えられる。【選択図】図７
0003178995.tif 000002
【実用新案登録請求の範囲】
【請求項１】
パチンコ玉を収容する箱体と、
該箱体の底壁内面に着脱可能に配される底板と
を備える玉箱において、
前記底壁内面及び前記底板の一面の一方に凹部を、他方に凸部を設けてあり、
前記底板が、前記底壁内面と前記一面とが対面した状態で、且つ所定の第１の位置関係で、前記底壁内面に配された場合に、前記凸部が前記凹部に遊嵌され、
前記底板が、前記底壁内面と前記一面とが対面した状態で、且つ前記第１の位置関係とは異なる第２の位置関係で、前記底壁内面に配された場合に、前記凸部が前記凹部の内面以外の前記一方に当接するようにしてあり、
前記凹部は、前記内面として、前記凹部の深さ方向の奥部に、前記凹部に遊嵌された凸部の先端部に対向配置される対向面と、該対向面に連続して、該対向面から前記凹部の開口縁部側へ前記凹部が広がるように傾斜する傾斜面とを有することを特徴とする玉箱。
【請求項２】
前記凹部に指を挿入することが可能であることを特徴とする請求項１に記載の玉箱。
【請求項３】
前記凹部は千鳥配置してあることを特徴とする請求項１又は２に記載の玉箱。
【請求項４】
前記底壁内面は長方形状をなし、
前記一面は前記底壁内面を被覆可能な寸法を有する長方形状をなし、
前記底板は、前記底壁内面と前記一面とが対面し、前記底壁内面の長手方向と前記一面の長手方向とが一致した状態で、前記底壁内面に着脱可能に配されるようにしてあり、
前記第１の位置関係と前記第２の位置関係とは、１８０°回転対称の位置関係であることを特徴とする請求項１乃至３の何れか一項に記載の玉箱。
【請求項５】
前記箱体の少なくとも一の側壁は透明又は半透明であり、
前記箱体よりも軟質であり、その一面に文字又は画像が表記された表記プレートを前記箱体に着脱可能に配すべく、前記一面が前記側壁の内面に対面する姿勢で、前記表記プレートが着脱可能に配される配置部が、前記箱体に設けてあり、
前記箱体の前記表記プレートの他面側にてパチンコ玉が収容されるようにしてあることを特徴とする請求項１乃至４の何れか一項に記載の玉箱。
【請求項６】
前記配置部には、前記表記プレートの縁部が、前記一面と前記側壁の内面との間に空隙を有する姿勢で着脱可能に配されるようにしてあることを特徴とする請求項５に記載の玉箱。
【請求項７】
前記底板は、前記箱体よりも軟質であり、
前記底壁内面に配されている底板の側部と前記側壁の内面との間に、前記表記プレートが挿通可能な空間が形成されるようにしてあることを特徴とする請求項５又は６に記載の玉箱。
【請求項８】
前記配置部は溝状になしてあり、
該配置部の対面する２つの内面の一方に、２個の第１の突起が、前記配置部の長手方向に並設されており、
前記２つの内面の他方に、前記２個の第１の突起夫々の配置位置の前記長手方向の中央部に対向する位置に配されている第２の突起が設けられていることを特徴とする請求項５乃至７の何れか一項に記載の玉箱。
【請求項９】
パチンコ玉を収容可能な箱体において、
少なくとも一の側壁は透明又は半透明であり、
板状部材の一面が前記側壁の内面に対面する姿勢で、前記板状部材が着脱可能に配置可能な配置部が設けてある
底壁内面に凹部又は凸部を設けてあり、
前記凹部は、該凹部の内面として、前記凹部の深さ方向の奥部の面と、該面に連続して、該面から前記凹部の開口縁部側へ前記凹部が広がるように傾斜する傾斜面とを有することを特徴とする箱体。
【考案の詳細な説明】
【技術分野】
【０００１】
本考案は、パチンコ玉を収容する玉箱及び箱体に関する。
【背景技術】
【０００２】
パチンコ店では、遊技中にパチンコ玉を保管するか、又は、遊技後にパチンコ玉を運搬する等のために、玉箱が使用される。
例えば平面視矩形状の玉箱は、１枚の底壁及び４枚の側壁を有する箱体と、箱体の底壁内面に着脱可能に配される底板とを備える（例えば特許文献１参照）。パチンコ玉は、箱体の天側に形成されている開口を通して、箱体へ投入され、又は、箱体から取り出される。
底板は、箱体の開口から、箱体の底壁内面に配されている底板上面までの深さ（以下、玉箱の収容深さという）を増減するために用いられる。
【０００３】
特許文献１に記載の玉箱においては、箱体の底壁内面に矩形溝状の凹部が設けられており、底板の下面に、底壁内面側の凹部に嵌合可能な凸部が設けられている。
底板の下面を箱体の底壁内面に対面させて、所定の位置関係で底板を底壁内面に配すれば、凸部は凹部に嵌め合わされる。このとき、底板の下面が箱体の底壁内面に接近するため、玉箱の収容深さが増加する。従って、パチンコ玉の収容数が減少する。
【０００４】
一方、底板の下面を箱体の底壁内面に対面させて、所定の位置関係とは１８０°回転対称の位置関係で底板を底壁内面に配すれば、凸部は凹部に嵌合されずに箱体の底壁内面に当接する。このとき、底板の下面が箱体の底壁内面から離隔するため、玉箱の収容深さが減少する。従って、パチンコ玉の収容数が増加する。
【先行技術文献】
【特許文献】
【０００５】
【特許文献１】特開２０１１−１６７２６４号公報
【考案の概要】
【考案が解決しようとする課題】
【０００６】
しかしながら、特許文献１に記載の玉箱は、汚れ易いという問題を有する。何故ならば、矩形溝状の凹部は凹部内底面と凹部内側面とが直交しているため、特に、凹部内底面と凹部内側面との境界部分（即ち、凹部の隅）に、塵又は埃等の汚れが溜まり易いからである。
このような凹部の隅は往々にして清掃が困難である。しかも、溝状の凹部は幅が細いため、隅々まで清掃することは一層困難である。
かといって、凹部の幅を広げれば、広がった凹部に嵌合されるように、凸部を大型化しなければならない。この場合、底板を形成する材料の量が増大する。この結果、底板の製造が高コスト化し、また、底板が無用に重くなる。
【０００７】
本考案は斯かる事情に鑑みてなされたものであり、その主たる目的は、清潔に保つことが容易な安価且つ軽量の玉箱及び箱体を提供することにある。
【課題を解決するための手段】
【０００８】
第１考案に係る玉箱は、パチンコ玉を収容する箱体と、該箱体の底壁内面に着脱可能に配される底板とを備える玉箱において、前記底壁内面及び前記底板の一面の一方に凹部を、他方に凸部を設けてあり、前記底板が、前記底壁内面と前記一面とが対面した状態で、且つ所定の第１の位置関係で、前記底壁内面に配された場合に、前記凸部が前記凹部に遊嵌され、前記底板が、前記底壁内面と前記一面とが対面した状態で、且つ前記第１の位置関係とは異なる第２の位置関係で、前記底壁内面に配された場合に、前記凸部が前記凹部の内面以外の前記一方に当接するようにしてあり、前記凹部は、前記内面として、前記凹部の深さ方向の奥部に、前記凹部に遊嵌された凸部の先端部に対向配置される対向面と、該対向面に連続して、該対向面から前記凹部の開口縁部側へ前記凹部が広がるように傾斜する傾斜面とを有することを特徴とする。
【０００９】
第２考案に係る玉箱は、前記凹部に指を挿入することが可能であることを特徴とする。
【００１０】
第３考案に係る玉箱は、前記凹部は千鳥配置してあることを特徴とする。
【００１１】
第４考案に係る玉箱は、前記底壁内面は長方形状をなし、前記一面は前記底壁内面を被覆可能な寸法を有する長方形状をなし、前記底板は、前記底壁内面と前記一面とが対面し、前記底壁内面の長手方向と前記一面の長手方向とが一致した状態で、前記底壁内面に着脱可能に配されるようにしてあり、前記第１の位置関係と前記第２の位置関係とは、１８０°回転対称の位置関係であることを特徴とする。
【００１２】
第５考案に係る玉箱は、前記箱体の少なくとも一の側壁は透明又は半透明であり、前記箱体よりも軟質であり、その一面に文字又は画像が表記された表記プレートを前記箱体に着脱可能に配すべく、前記一面が前記側壁の内面に対面する姿勢で、前記表記プレートが着脱可能に配される配置部が、前記箱体に設けてあり、前記箱体の前記表記プレートの他面側にてパチンコ玉が収容されるようにしてあることを特徴とする。
【００１３】
第６考案に係る玉箱は、前記配置部には、前記表記プレートの縁部が、前記一面と前記側壁の内面との間に空隙を有する姿勢で着脱可能に配されるようにしてあることを特徴とする。
【００１４】
第７考案に係る玉箱は、前記底板は、前記箱体よりも軟質であり、前記底壁内面に配されている底板の側部と前記側壁の内面との間に、前記表記プレートが挿通可能な空間が形成されるようにしてあることを特徴とする。
【００１５】
第８考案に係る玉箱は、前記配置部は溝状になしてあり、該配置部の対面する２つの内面の一方に、２個の第１の突起が、前記配置部の長手方向に並設されており、前記２つの内面の他方に、前記２個の第１の突起夫々の配置位置の前記長手方向の中央部に対向する位置に配されている第２の突起が設けられていることを特徴とする。
【００１６】
第９考案に係る箱体は、パチンコ玉を収容可能な箱体において、少なくとも一の側壁は透明又は半透明であり、板状部材の一面が前記側壁の内面に対面する姿勢で、前記板状部材が着脱可能に配置可能な配置部が設けてある底壁内面に凹部又は凸部を設けてあり、前記凹部は、該凹部の内面として、前記凹部の深さ方向の奥部の面と、該面に連続して、該面から前記凹部の開口縁部側へ前記凹部が広がるように傾斜する傾斜面とを有することを特徴とする。
【００１７】
第１考案にあっては、玉箱は、その底壁内面に凹部（又は凸部）が設けてある箱体と、その一面に凸部（又は凹部）が設けてある底板とを備える。以下では、箱体側に凹部が設けてあり、底板側に凸部が設けてある場合を例示するが、本考案は、箱体の底壁内面に凹部が設けてあり、底板の一面に凸部が設けてある場合でも、底板の一面に凹部が設けてあり、箱体の底壁内面に凸部が設けてある場合でも、同様の作用効果を奏する。
凹部は、自身の内面として、対向面と、対向面に連続する傾斜面とを有する。
底板は、一面（即ち凸部が設けてある面）が箱体の底壁内面に対面した状態で、箱体の底壁内面に着脱可能に配される。
【００１８】
底板が、第１の位置関係で箱体の底壁内面に配された場合、凸部は凹部に遊嵌される。このとき、凸部の先端部と凹部の対向面とが対向配置される。また、このとき、底板の一面が箱体の底壁内面に接近する。このため、玉箱内部のパチンコ玉を収容可能な空間の体積が増加する。
一方、底板が、第２の位置関係で箱体の底壁内面に配された場合、凸部は凹部の内面以外の底壁内面に当接する。このとき、底板の一面が箱体の底壁内面から離隔する。このため、玉箱内部のパチンコ玉を収容可能な空間の体積が減少する。
【００１９】
凹部の傾斜面は、凹部の対向面から凹部の開口縁部側へ凹部が広がるように傾斜する。故に、凹部の対向面と傾斜面とは鈍角状に交わる。従って、凹部の対向面と傾斜面とが鋭角状又は直角状に交わる場合に比べて、対向面と傾斜面との境界部分、即ち、凹部の隅に汚れが溜まりにくい。しかも、このような凹部は清掃が容易である。
ところで、凸部は凹部に遊嵌される。従って、凸部が凹部に嵌合される場合とは異なり、凸部の形状及び寸法を、凹部の形状及び寸法に正確に対応させる必要はない。即ち、凹部を広く設計した場合であっても、凸部を大きく設計しなくてよい。このため、玉箱を形成する材料の量が必要最小限に抑えられる。
【００２０】
第２考案にあっては、人間の指を凹部に挿入することが可能である。故に、清掃作業者が凹部内を清掃することが容易である。従って、玉箱を容易に清潔に保つことができる。
【００２１】
第３考案にあっては、千鳥配置された凹部が、玉箱の意匠性を向上させることができる。
【００２２】
第４考案にあっては、一般的な平面視長方形状の玉箱に対して本考案を適用することができるため、玉箱の大幅な設計変更が不要である。
【００２３】
第５考案にあっては、玉箱は、第９考案に係る箱体を備える。
箱体に設けられている配置部には、板状部材、具体的には表記プレートが、着脱可能に配される。このとき、表記プレートの、文字又は画像が表記してある一面（以下、表記面という）と、箱体の側壁内面とが対面する。
【００２４】
箱体の側壁は透明又は半透明である。故に、玉箱を使用する遊技者又は他の遊技者等（以下、遊技関係者という）が、箱体の側壁を通して、表記プレートの表記面に表記してある文字又は画像を視認することが可能である。このため、箱体にパチンコ玉が収容されているか否かに関わらず、玉箱を用いて、遊技関係者に文字又は画像を提示することができる。また、表記プレートを差し替えれば、差し替えられた新たな表記プレートに表記されている新たな文字又は画像を、遊技関係者に提示することができる。
【００２５】
一方、遊技関係者が、箱体の側壁を通して、箱体の内部を視認することは困難である。何故ならば、表記プレートが目隠しとなるからである。従って、箱体の側壁を通して、箱体に収容されているパチンコ玉の有無又は多寡が余人に把握されてしまうという不都合を解消することができる。
【００２６】
更に、箱体に収容されたパチンコ玉は、表記プレートに直接衝突することはあっても、側壁には直接衝突しない。何故ならば、パチンコ玉は、箱体の表記プレートの他面側に収容されるからである。換言すれば、パチンコ玉が、箱体の側壁内面と表記プレートの表記面との間に収容されることはないからである。
ところで、箱体は硬質である。一方、表記プレートは軟質である。従って、本考案の玉箱は、パチンコ玉が箱体の側壁内面に直接衝突する玉箱よりも、騒音を低減することが可能である。
【００２７】
第６考案にあっては、表記プレートの縁部が、配置部に着脱可能に配される。配置部に配された表記プレートの姿勢は、表記プレートの表記面と箱体の側壁内面とが対面し、且つ、表記プレートの表記面と箱体の側壁内面との間に空隙を有する姿勢である。
箱体に収容されたパチンコ玉は、表記プレートに直接衝突する。仮に、箱体の側壁内面に密着している表記プレートであれば、パチンコ玉に衝突された衝撃を直接的に箱体の側壁に伝えてしまう虞がある。
【００２８】
しかしながら、本考案の玉箱による場合、表記プレートは、パチンコ玉に衝突されたときに、配置部に配されている縁部を中心に動揺するか、又は、弾性変形を起こすこと等が可能である。このため、パチンコ玉に衝突された衝撃が緩和される。この結果、箱体に収容されたパチンコ玉が表記プレートに衝突することによって発生する騒音を低減することができる。
【００２９】
第７考案にあっては、箱体の底壁内面に、底板が着脱可能に配される。箱体の底壁内面に配された底板の側部と、玉箱の側壁内面との間には空間が形成される。表記プレートは、この空間に挿通される。従って、表記プレートと底板とが干渉し合う虞はない。
底板は箱体よりも軟質である。従って、パチンコ玉が底板に直接衝突する本考案の玉箱は、パチンコ玉が箱体の底壁内面に直接衝突する玉箱よりも、騒音を低減することができる。
【００３０】
第８考案にあっては、溝状の配置部は、対面する２つの内面を有する。この２つの内面の内、一方には２個の第１の突起が設けられており、他方には第２の突起が設けられている。第１の突起は、配置部の長手方向に並設されている。第２の突起は、２個の第１の突起夫々の配置位置の、配置部の長手方向中央部に対向する位置に配されている。
【００３１】
このような第１及び第２の突起は、何れも配置部の幅を狭める。このため、簡易な構成で、配置部に配された表記プレートの無用な脱落を防止することができる。例えば、表記プレートは、一方の第１の突起、第２の突起、及び他方の第２の突起によって部分的に狭められた配置部内で蛇行するように変形し、自身の弾性復元力によって、２個の第１の突起と第２の突起との間にて挟持される。
【考案の効果】
【００３２】
本考案の玉箱及び箱体による場合、箱体の底壁内面に配される底板と底壁内面との位置関係を変更することによって、玉箱内部のパチンコ玉を収容可能な空間の体積を増減させることができる。この結果、玉箱に収容可能なパチンコ玉の個数を増減させることができる。
また、本考案の玉箱は汚れ難い。何故ならば、凹部の隅に汚れが溜まり難く、更に、凹部の内部が清掃し易いからである。
しかも、玉箱を形成する材料の量を必要最小限に抑えることができる。このため、玉箱を安価に製造することができ、また、玉箱を軽量化することができる。
【図面の簡単な説明】
【００３３】
【図１】本考案の実施の形態１に係る玉箱の構成を示す斜め上から見た斜視図である。
【図２】玉箱の構成を示す斜め下から見た斜視図である。
【図３】玉箱が備える箱体の構成を示す斜め上から見た斜視図である。
【図４】箱体の構成を示す斜め下から見た斜視図である。
【図５】玉箱が備える底板の構成を示す斜め上から見た斜視図である。
【図６】底板の構成を示す斜め下から見た斜視図である。
【図７】底板が第１の位置関係で箱体の底壁内面に配されている状態を模式的に示す縦断面図である。
【図８】底板が第２の位置関係で箱体の底壁内面に配されている状態を模式的に示す縦断面図である。
【図９】本考案の実施の形態２に係る玉箱の構成を示す斜め上から見た斜視図である。
【図１０】玉箱の構成を示す斜め下から見た斜視図である。
【図１１】玉箱の構成を示す正面図である。
【図１２】玉箱が備える箱体の構成を示す斜め上から見た斜視図である。
【図１３】箱体の構成を示す斜め下から見た斜視図である。
【図１４】箱体の構成を示す平面図である。
【図１５】玉箱が備える底板の構成を示す斜め上から見た斜視図である。
【図１６】底板の構成を示す斜め下から見た斜視図である。
【図１７】表記プレートの構成を示す正面図である。
【図１８】底板が第１の位置関係で箱体の底壁内面に配されている場合を模式的に示す縦断面図である。
【図１９】底板が第２の位置関係で箱体の底壁内面に配されている場合を模式的に示す縦断面図である。
【図２０】図１７に示す表記プレートが箱体に配してある場合を模式的に示す平面図である。
【図２１】貫通孔が形成されていない表記プレートが箱体に配してある場合を模式的に示す平面図である。
【考案を実施するための形態】
【００３４】
以下、本考案を、その実施の形態を示す図面に基づいて詳述する。
【００３５】
実施の形態  １．
図１及び図２は、何れも本考案の実施の形態１に係る玉箱１の構成を示す斜視図である。本実施の形態の玉箱１は、箱体２及び底板３を備える。図３及び図４は、何れも箱体２の構成を示す斜視図である。図５及び図６は、何れも底板３の構成を示す斜視図である。図７及び図８は、何れも底板３が箱体２の後述する底壁２ｅ内面に配されている状態を模式的に示す縦断面図である。
【００３６】
図１、図３、及び図５は、斜め上から見た斜視図である。図２、図４、及び図６は、斜め下から見た斜視図である。図１、図２、及び図７は、箱体２と底板３とが後述する第１の位置関係にある場合を示し、図８は、箱体２と底板３とが後述する第２の位置関係にある場合を示している。以下の説明では、図１〜図８において矢符で示す上下、左右、及び前後を使用する。
【００３７】
まず、箱体２について説明する。
箱体２は、例えば射出成形によって形成される。箱体２は、例えばポリカーボネート樹脂を用いてなり、底板３よりも硬質である。箱体２は、倒立四角錐台殻状になしてあり、各１枚の倒立台形状の前壁２ａ、後壁２ｂ、左壁２ｃ、及び右壁２ｄと、長方形状の底壁２ｅとを有する。前壁２ａ及び後壁２ｂは底壁２ｅの２本の長辺部から立ち上がり、左壁２ｃ及び右壁２ｄは底壁２ｅの２本の短辺部から立ち上がる。
左壁２ｃ及び右壁２ｄ夫々の外面には、左右各１個の取っ手２３，２３が突設してある。
【００３８】
箱体２の天側には、前壁２ａ〜右壁２ｄに囲繞されてなる長方形状の開口（以下、箱体２の天側開口という）が形成されている。箱体２の天側開口の前後左右方向中心位置と底壁２ｅの前後左右方向中心位置とは平面視同一位置に存在する。箱体２の天側開口は、底壁２ｅよりも前後左右の寸法が大きい。このため、前壁２ａ〜右壁２ｄ夫々は、底壁２ｅ側から箱体２の天側開口側へ緩やかに広がるように傾斜している。
【００３９】
底壁２ｅの左右方向中央部の後端部には、第１凹部２０１が設けられている。また、底壁２ｅ内面（上面）には、千鳥配置された複数個の第２凹部２１，２１，…が設けてある。第２凹部２１，２１，…の配置は前後対称であるが、左右非対称である。
第１凹部２０１及び第２凹部２１，２１，…は、夫々の形成位置において、底壁２ｅ内面を倒立四角錐台状に凹ませたような形状を有する。このような第１凹部２０１及び第２凹部２１，２１，…は、夫々の形成位置において、底壁２ｅ外面（下面）を倒立四角錐台状に凸ませたような形状を有する。
第１凹部２０１及び各第２凹部２１夫々は、人間の指、特に、ウエス又は雑巾等の清掃具を把持した清掃作業者の指を挿入することが可能なサイズを有する。
【００４０】
第１凹部２０１の内面は、長方形状の底面と、この底面の４辺部に連続する４つの傾斜面からなる。各傾斜面の傾斜方向は、第１凹部２０１の底面から第１凹部２０１の開口縁部へ第１凹部２０１が広がる方向である。故に、第１凹部２０１の底面と各傾斜面とは鈍角状に交わる。また、第１凹部２０１の隣り合う傾斜面同士は、鈍角状に交わる。
【００４１】
第２凹部２１の内面は、底面（対向面）２１ａと４つの傾斜面２１ｂ，２１ｂ，…とからなる。底面２１ａは長方形状をなし、第１凹部２０１の底面と仮想的な同一平面上に位置する。４つの傾斜面２１ｂ，２１ｂ，…は、底面２１ａの４辺部に連続する。各傾斜面２１ｂの傾斜方向は、底面２１ａから第２凹部２１の開口縁部へ第２凹部２１が広がる方向である。故に、第２凹部２１の底面２１ａと各傾斜面２１ｂとは鈍角状に交わる。また、第２凹部２１の隣り合う傾斜面２１ｂ同士は、鈍角状に交わる。
【００４２】
第１凹部２０１及び第２凹部２１，２１，…夫々の内面以外の底壁２ｅ内面は、平坦面である。底壁２ｅの左右方向中央部の前端部には、第１凹部２０１に平行な第１平坦面２０２が存在する。また、第２凹部２１，２１，…の間には、千鳥配置された複数個の第２平坦面２２，２２，…が存在する。第２平坦面２２，２２，…は、第１平坦面２０２と仮想的な同一平面上に位置する。
第１凹部２０１及び第１平坦面２０２夫々の寸法は、千鳥に配された各２個計４個の第２凹部２１，２１及び第２平坦面２２，２２の寸法に相当する。
【００４３】
第１凹部２０１の底面及び第１平坦面２０２夫々の中央部には、下方へ突出する突出部２０３，２０３が形成されており、突出部２０３，２０３の内部に、各１個の放電孔２４が形成されている。放電孔２４の上側（即ち底壁２ｅ内面側）の開口寸法は、パチンコ玉の直径（11mm）よりも大きい。一方、放電孔２４の下側（即ち底壁２ｅ外面側）の開口寸法は、パチンコ玉の直径よりも小さい。放電孔２４の内面は、漏斗状に形成されている。放電孔２４の内部へ投入されたパチンコ玉の一部は、放電孔２４の下側の開口から露出する。
【００４４】
底壁２ｅには、各４個の第１係止孔２５１，２５１，…及び第２係止孔２５２，２５２，…が形成されている。各第１係止孔２５１は、前壁２ａ又は後壁２ｂに前後方向に隣り合う第２凹部２１の底面２１ａを貫通している。各第２係止孔２５２は、前壁２ａ又は後壁２ｂに前後方向に隣り合う第２平坦面２２を貫通している。第１係止孔２５１，２５１，…の平面視の配置位置と第２係止孔２５２，２５２，…の平面視の配置位置とは、底壁２ｅの前後左右方向中心位置に対して点対称をなしている。
【００４５】
箱体２は、底壁２ｅが上げ底になるよう、前壁２ａ〜右壁２ｄ夫々を下方へ延設してある。このような前壁２ａ〜右壁２ｄの延設部分は、箱体２の脚部としての機能と、底壁２ｅ外面に存在する凹凸を目隠しする機能とを有する。
【００４６】
次に、底板３について説明する。
底板３は、例えば射出成形によって形成される。底板３は、例えばポリエチレン樹脂を用いてなり、箱体２よりも軟質である。底板３は、矩形皿状になしてあり、側壁３ａ，３ｂ，３ｃ，３ｄと底壁３ｅとを有する。底壁３ｅは長方形状になしてある。底壁３ｅの前後左右方向の寸法は、底壁２ｅの前後左右方向の寸法に対応する。側壁３ａ，３ｂは夫々倒立台形状をなし、底壁３ｅの２本の長辺部から、互いに離隔する方向に傾斜して立ち上がる。側壁３ｃ，３ｄは夫々倒立台形状をなし、底壁３ｅの２本の短辺部から、互いに離隔する方向に傾斜して立ち上がる。
【００４７】
底壁３ｅの左右方向中央部の側壁３ｂ近傍には、下方へ突出する突出部が形成されており、この突出部の内部に、導入孔３２が形成されている。導入孔３２の内面は漏斗状に形成されている。導入孔３２の上側（即ち底壁３ｅ内面側）の開口寸法は、導入孔３２の下側（即ち底壁２ｅ外面側）の開口寸法よりも大きい。導入孔３２の下側の開口寸法は、パチンコ玉の直径よりも大きい。
底壁３ｅ外面（下面）には、底壁３ｅを補強する突条状の補強リブ３０，３０，…が突設されている。補強リブ３０，３０，…は、下面視格子状に配されている。補強リブ３０，３０，…夫々の底壁３ｅ外面からの突出長さは、次に説明する凸部３１，３１，…夫々の底壁３ｅ外面からの突出長さよりも短い。
【００４８】
底壁３ｅ外面には、複数個の凸部３１，３１，…が設けてある。本実施の形態における凸部３１，３１，…夫々は、平面視十字状、平面視条状、又は平面視矩形環状をなしている。各凸部３１の底壁３ｅ外面からの突出長さは等しい。
底壁３ｅ外面には、４個の係止片３３，３３，…が突設されている。各係止片３３の突出長さは、各凸部３１の底壁３ｅ外面からの突出長さよりも長い。各係止片３３の先端部は鉤状をなしている。係止片３３は可撓性を有している。
【００４９】
次に、底板３の取り付け及び取り外しについて説明する。
底板３は、底板３の底壁３ｅ外面と箱体２の底壁２ｅ内面とを対面させた状態で、底壁３ｅの長手方向と底壁２ｅの長手方向とを一致させて、箱体２の底壁２ｅ内面に着脱可能に配される。配された底板３の底壁３ｅは、箱体２の底壁２ｅ内面を被覆する。
底板３は、底壁３ｅ外面と底壁２ｅ内面とが対面し、且つ、底壁３ｅの長手方向と底壁２ｅの長手方向とが一致していれば、底板３を底壁２ｅに対して１８０°、水平面内で相対的に回転させても、箱体２の底壁２ｅ内面に着脱可能に配置可能である。
【００５０】
以下では、箱体２と底板３との位置関係の内、前壁２ａと側壁３ａとが対面する位置関係を、第１の位置関係という。この場合、後壁２ｂと側壁３ｂとが対面し、左壁２ｃと側壁３ｃとが対面し、右壁２ｄと側壁３ｄとが対面する。また、前壁２ａと側壁３ｂとが対面する位置関係を、第２の位置関係という。この場合、後壁２ｂと側壁３ａとが対面し、左壁２ｃと側壁３ｄとが対面し、右壁２ｄと側壁３ｃとが対面する。
【００５１】
まず、底板３が、底壁２ｅ内面と底壁３ｅ外面とが対面した状態で、且つ第１の位置関係で、底壁２ｅ内面に配された場合（以下、第１の場合という）について説明する。
第１の場合においては、各凸部３１が、第２凹部２１，２１，…の何れかに、遊びを有して嵌め入れられ（即ち遊嵌され）、凸部３１の先端部が、第２凹部２１の底面２１ａに対向配置されて当接する。また、導入孔３２の下側の開口周縁部が、第１凹部２０１の底面における放電孔２４の開口周縁部に当接する。以上の結果、底壁３ｅ外面が底壁２ｅ内面に最接近し、底壁３ｅ外面が第２平坦面２２，２２，…に平行に維持される。更に、導入孔３２の下側の開口が、後壁２ｂ側の放電孔２４の上側の開口に連通する。
【００５２】
なお、第２凹部２１に遊嵌された凸部３１の先端部は、第２凹部２１の底面２１ａに対向配置されて、底面２１ａから離隔していてもよい。この場合、例えば補強リブ３０，３０，…が第２平坦面２２，２２，…に当接することによって、底壁３ｅ外面が第２平坦面２２，２２，…に平行に維持される。
【００５３】
第１の場合においては、係止片３３，３３，…が、第１係止孔２５１，２５１，…へ挿入される。このとき、各係止片３３の鉤状の先端部が第１係止孔２５１の内面に当接して、係止片３３が撓み、係止片３３の鉤状の先端部が第１係止孔２５１を通り抜けたときに、弾性復元力によって係止片３３の形状が元に戻る。すると、係止片３３の鉤状の先端部が第１係止孔２５１の下側の開口周縁部に係止する。この結果、底板３は箱体２の底壁２ｅ内面に対して安定的に配される。従って、例えば玉箱１を移動させた場合に、底板３が大幅に位置ずれしたり無用に脱落したりすることが抑制される。
【００５４】
第１係止孔２５１に対する係止片３３の係止は、例えばパチンコ店の店員又は清掃作業者等が底板３に対して上方へ外力を加えれば、容易に解除される。具体的には、各係止片３３の鉤状の先端部が第１係止孔２５１の内面に当接して、係止片３３が撓み、係止片３３が第１係止孔２５１から抜け出る。第１係止孔２５１から抜け出た後、係止片３３は元の形状に戻る。従って、底板３は箱体２の底壁２ｅ内面から容易に取り外すことができる。
【００５５】
次に、底板３が、底壁２ｅ内面と底壁３ｅ外面とが対面した状態で、且つ第２の位置関係で、底壁２ｅ内面に配された場合（以下、第２の場合という）について説明する。
第２の場合においては、各凸部３１の先端部が、第２平坦面２２，２２，…に当接する。また、導入孔３２の下側の開口の周縁部が、第１平坦面２０２における放電孔２４の開口周縁部に当接する。以上の結果、底壁３ｅ外面が底壁２ｅ内面から離隔し、底壁３ｅ外面が第２平坦面２２，２２，…に平行に維持される。更に、導入孔３２の下側の開口が、前壁２ａ側の放電孔２４の上側の開口に連通する。
【００５６】
第２の場合においては、係止片３３，３３，…が、第２係止孔２５２，２５２，…へ挿入され、第１係止孔２５１，２５１，…へ挿入された場合と同様にして、係止片３３の鉤状の先端部が第２係止孔２５２の下側の開口周縁部に係止する。この結果、例えば玉箱１を移動させた場合に、底板３が大幅に位置ずれしたり無用に脱落したりすることが抑制される。
第２係止孔２５２に対する係止片３３の係止は、第１係止孔２５１に対する係止片３３の係止と同様に、容易に解除される。
【００５７】
第１の場合に凸部３１が遊嵌される第２凹部２１の配置位置と第２の場合に凸部３１が当接する第２平坦面２２の配置位置とは、底壁２ｅの前後左右方向中心位置に対して点対称をなしている。
【００５８】
次に、玉箱１の使用について説明する。
玉箱１は、箱体２の底壁２ｅ内面に底板３を配置した状態で使用される。パチンコ玉は、箱体２の天側開口を通して、箱体２へ投入されるか、又は、箱体２から取り出される。箱体２へ投入されたパチンコ玉は、前壁２ａ〜右壁２ｄと底板３の上面とに囲繞された空間に収容される。このとき、投入されたパチンコ玉は主に軟質の底板３に衝突するため、硬質の箱体２に直接衝突する場合よりも、消音効果が高まる。
【００５９】
底板３は、玉箱１の収容深さを増減することによって、玉箱１に収容可能なパチンコ玉の個数を増減するためにも用いられる。
第１の場合、玉箱１の収容深さが大きくなるため、玉箱１は多量のパチンコ玉を収納しないと満杯にならない。この結果、玉箱１を用いて遊技中に多量のパチンコ玉を保管したり、遊技後に多量のパチンコ玉を運搬したりすることができる。
第２の場合、玉箱１の収容深さが小さくなるため、玉箱１は少量のパチンコ玉を収納しただけで満杯になる。この結果、遊技者に対して出玉感を演出することができる。
【００６０】
箱体２に収容されたパチンコ玉は、導入孔３２を通過して放電孔２４の内部へ転がり込む。放電孔２４の内部へ転がり込んだパチンコ玉の一部は、放電孔２４の下側の開口から露出する。故に、例えば導電性を有する床に箱体２を載置すれば、放電孔２４の下側の開口から露出したパチンコ玉が床に接触する。このため、床に接触したパチンコ玉を介して、箱体２に収容されているパチンコ玉が帯びている静電気が床へ放電される。
【００６１】
使用された玉箱１は、例えば清掃作業者によって清掃される。清掃作業者は、ウエス又は雑巾等の柔軟な清掃具を用いて箱体２及び底板３を個別に拭き掃除する。
一般に、凹状部分の直角状又は鋭角状の隅には汚れが溜まり易い。しかしながら、第１凹部２０１及び第２凹部２１，２１，…夫々の隅は鈍角状であるため、汚れが溜まり難い。しかも、清掃具を把持した清掃作業者の指を挿入することができるため、清掃具を把持した清掃作業者の指で、隅々まで容易に清掃することができる。
従って、玉箱１は汚れ難い上に、清潔に保つことが容易である。
【００６２】
また、千鳥配置された第２凹部２１，２１，…は、例えば第２凹部２１，２１，…が無秩序に配置されている場合に比べて、玉箱１の意匠性を向上させることができる。
【００６３】
ところで、凸部３１，３１，…は第２凹部２１，２１，…に遊嵌される。従って、凸部３１，３１，…が第２凹部２１，２１，…に嵌合される場合とは異なり、凸部３１，３１，…の形状及び寸法は、第２凹部２１，２１，…の形状及び寸法に正確に対応している必要がない。従って、各凸部３１の形状及び寸法に係る設計の自由度が向上する。このため、各凸部３１の体積を必要最小限にすることができる。故に、底板３を形成する材料の量を必要最小限に抑えることができる。この結果、本考案の玉箱１は軽量であり、安価に製造することができる。
【００６４】
実施の形態  ２．
図９及び図１０は、何れも本考案の実施の形態２に係る玉箱１の構成を示す斜視図である。図１１は、玉箱１の構成を示す正面図である。本実施の形態の玉箱１は、実施の形態１の箱体２及び底板３に対応する箱体５及び底板６を備える。図１２及び図１３は、何れも箱体５の構成を示す斜視図である。図１４は、箱体５の構成を示す平面図である。図１５及び図１６は、何れも底板６の構成を示す斜視図である。図１７は、後述する表記プレート４の構成を示す正面図である。図１８及び図１９は、何れも底板６が箱体５の底壁５ｅ内面に配されている場合を模式的に示す縦断面図である。図２０は、表記プレート４が箱体５に配してある場合を模式的に示す平面図である。
【００６５】
図９、図１２、及び図１５は、斜め上から見た斜視図である。図１０、図１３、及び図１６は、斜め下から見た斜視図である。図９、図１０、及び図１８は、箱体５と底板６とが後述する第１の位置関係にある場合を示し、図１９は、箱体５と底板６とが後述する第２の位置関係にある場合を示している。図２０には、表記プレート４の水平断面図が含まれている。以下の説明では、図９〜図２０において矢符で示す上下、左右、及び前後を使用する。
【００６６】
まず、箱体５について説明する。
箱体５は、底板６及び表記プレート４よりも硬質である。箱体５は、４枚の各倒立台形状の側壁（具体的には、前壁５ａ、後壁５ｂ、左壁５ｃ、及び右壁５ｄ）と、矩形状の底壁５ｅとを有する。前壁５ａ、後壁５ｂ、左壁５ｃ、右壁５ｄ、及び底壁５ｅは、実施の形態１の前壁２ａ、後壁２ｂ、左壁２ｃ、右壁２ｄ、及び底壁２ｅに対応する。
左壁５ｃ及び右壁５ｄ夫々の外面には、実施の形態１の取っ手２３，２３に対応する取っ手５３，５３が突設してある。
底壁５ｅ内面（上面）の左後端部には、第１凹部５０が設けられている。第１凹部５０は、実施の形態１の第１凹部２０１に対応する。
【００６７】
底壁５ｅ内面には、複数個の第２凹部５１，５１，…が設けてある。各第２凹部５１は、仮想的な六角格子の頂点に配されている。第２凹部５１，５１，…の配置は前後対称であるが、左右非対称である。
第２凹部５１，５１，…は、夫々の形成位置において、底壁５ｅ内面を倒立円錐台状に凹ませたような形状を有する。また、第２凹部５１，５１，…は、夫々の形成位置において、底壁５ｅ外面を倒立円錐台状に凸ませたような形状を有する。
各第２凹部５１は、人間の指、特に、ウエス又は雑巾等の清掃具を把持した清掃作業者の指を挿入することが可能なサイズを有する。
【００６８】
第２凹部５１の内面は、円形状の底面（対向面）５１ａと、底面５１ａに連続する漏斗状の傾斜周面５１ｂとからなる。傾斜周面５１ｂの傾斜方向は、第２凹部５１の底面５１ａから第２凹部５１の開口縁部へ第２凹部５１が広がる方向である。故に、第２凹部５１の底面５１ａと傾斜周面５１ｂとは鈍角状に交わる。第２凹部５１の底面５１ａは、第１凹部５０の底面と仮想的な同一平面上に位置する。
【００６９】
底壁５ｅ内面の底壁５ｅと前壁５ａとの境界部分には、その長手方向が前壁５ａに沿う溝状の配置部５６１が設けられている。底壁５ｅ内面の底壁５ｅと後壁５ｂとの境界部分には、その長手方向が後壁５ｂに沿う溝状の配置部５６２が設けられている。即ち、配置部５６１，５６２夫々の長手方向は、左右方向である。底壁５ｅ外面における配置部５６１，５６２夫々の形成位置は、凸条状をなしている。
【００７０】
配置部５６１の前側の内面には、各半球状の２個の第１の突起５７，５７が突設してある。第１の突起５７，５７は、左右方向中央部にて、左右方向に適長離隔配置されている。
配置部５６１の後側の内面には、各矩形平板状の３個の第２の突起５８，５８，…が突設してある。第２の突起５８，５８，…は、左右方向中央部にて、左右方向に適長離隔配置されている。
第１の突起５７，５７と第２の突起５８，５８，…とは、千鳥配置されている。つまり、３個の第２の突起５８，５８，…の内、中央の第２の突起５８は、第１の突起５７，５７夫々の配置位置の左右方向中央部に対向する位置に配されている。
【００７１】
各第１の突起５７及び各第２の突起５８夫々の突出量は、配置部５６１の幅（前後方向の内法）の約１／２である。つまり、第１の突起５７又は第２の突起５８が突出している部分の配置部５６１の幅は、約半分に狭められている。
配置部５６２の前側の内面には、配置部５６１のそれらと同様の第１の突起５７，５７が突設してある。配置部５６１の後側の内面には、配置部５６１のそれらと同様の第２の突起５８，５８，…が突設してある。
【００７２】
第１凹部５０、第２凹部５１，５１，…、及び配置部５６１，５６２夫々の内面以外の底壁５ｅ内面は、平坦面である。以下では、第１凹部５０、第２凹部５１，５１，…、及び配置部５６１，５６２夫々の内面以外の底壁５ｅ内面を、底壁５ｅ平坦面という。
第１凹部５０の底面及び底壁５ｅ平坦面の右前端部には、下方へ突出する突出部５２，５２が形成されており、突出部５２，５２の内部に、各１個の放電孔５４が形成されている。突出部５２，５２及び放電孔５４は、実施の形態１の突出部２０３，２０３及び放電孔２４に対応する。
【００７３】
底壁５ｅには、各４個の第１係止孔５５１，５５１，…及び第２係止孔５５２，５５２，…が形成されている。各第１係止孔５５１及び各第２係止孔５５２は、前壁５ａ近傍又は後壁５ｂ近傍近傍の底壁５ｅ平坦面を貫通している。第１係止孔５５１，５５１，…の平面視の配置位置と第２係止孔５５２，５５２，…の平面視の配置位置とは、底壁５ｅの前後左右方向中心位置に対して点対称をなしている。第１係止孔５５１，５５１，…及び第２係止孔５５２，５５２，…は、実施の形態１の第１係止孔２５１，２５１，…及び第２係止孔２５２，２５２，…に対応する。
【００７４】
箱体５は、底壁５ｅが上げ底になるよう、前壁５ａ〜右壁５ｄ夫々を下方へ延設してある。このような前壁５ａ〜右壁５ｄの延設部分は、箱体５の脚部としての機能と、底壁５ｅ外面に存在する凹凸を目隠しする機能とを有する。
【００７５】
次に、底板６について説明する。
底板６は、側壁６ａ，６ｂ，６ｃ，６ｄと底壁６ｅとを有する。側壁６ａ，６ｂ，６ｃ，６ｄと底壁６ｅとは、実施の形態１の側壁３ａ，３ｂ，３ｃ，３ｄと底壁３ｅとに対応する。
底壁６ｅの側壁６ａ，６ｄ近傍（即ち図１５及び図１６における右前端部）には、下方へ突出する突出部６４が形成されており、突出部６４の内部に、導入孔６２が形成されている。導入孔６２は、実施の形態１の導入孔３２に対応する。
【００７６】
底壁６ｅ外面（下面）には、底壁６ｅを補強する突条状の補強リブ６０，６０，…が突設されている。補強リブ６０，６０，…は、下面視六角格子状に配されている。補強リブ６０夫々の底壁６ｅ外面からの突出長さは、次に説明する凸部６１，６１，…夫々の底壁６ｅ外面からの突出長さよりも短い。
底壁６ｅ外面には、複数個の各円筒状の凸部６１，６１，…が設けてある。各凸部６１の底壁６ｅ外面からの突出長さは等しい。凸部６１，６１，…の配置位置は、補強リブ６０，６０，…からなる六角格子の頂点に配されている。
補強リブ６０，６０，…及び凸部６１，６１，…は、実施の形態１の補強リブ３０，３０，…及び凸部３１，３１，…に対応する。
【００７７】
底壁６ｅ外面には、４個の係止片６３，６３，…が突設されている。係止片６３，６３，…は、実施の形態１の係止片３３，３３，…に対応する。
【００７８】
次に、表記プレート４について説明する。
表記プレート４は薄肉の倒立台形平板状になしてあり、ポリエチレンテレフタレート又はポリ塩化ビニル等を用いてなる。表記プレート４は、箱体５よりも軟質であり、可撓性を有する。表記プレート４の厚みは、箱体５の配置部５６１，５６２夫々の幅よりも短い。表記プレート４の正面視の形状及び寸法は、前壁５ａ内面（又は後壁５ｂ内面）の形状及び寸法に対応する。
【００７９】
表記プレート４の面積は前壁５ａ内面（又は後壁５ｂ内面）の面積よりは小さい。ただし、表記プレート４は、表記プレート４を前壁５ａ内面（又は後壁５ｂ内面）に重ねた場合に、前壁５ａ内面（又は後壁５ｂ内面）を通して箱体５の内部を視認することが困難になる程度（即ち目隠しとして機能する程度）に大きな面積を有する。
【００８０】
表記プレート４は不透明である。なお、表記プレート４を前壁５ａ内面（又は後壁５ｂ内面）に重ねた場合に、前壁５ａ内面（又は後壁５ｂ内面）を通して箱体５の内部を視認することが困難になるならば、表記プレート４は透明又は半透明でもよい。
表記プレート４の下底部には、貫通孔４１，４１が設けられている。貫通孔４１，４１は、表記プレート４の下底部に沿う方向に適長離隔配置されている。貫通孔４１，４１には、第１の突起５７，５７が遊嵌可能である。
【００８１】
表記プレート４の表面４ａには、仮名文字若しくは記号文字等の文字、又は、図形若しくは図柄等の画像が表記してある。表面４ａに対する文字又は画像の表記は、例えば、表面４ａに直接的に文字又は画像を印刷するか、或いは、文字又は画像が印刷されたシートを表面４ａに貼着すること等によって行なわれる。表面４ａに表記される文字又は画像は、パチンコ店の宣伝文句を示すものでもよく、美的な模様を表わすものでもよい。
なお、表記プレート４の裏面には、文字又は画像が表記されていてもよく、文字及び画像が何れも表記されていなくてもよい。表記プレート４の両面に文字又は画像が表記されている場合、表記プレート４の各面に表記されている文字又は画像は同じであってもよく、異なっていてもよい。
【００８２】
以上のような表記プレート４は、玉箱１のメーカが提供してもよく、パチンコ店にて店員が準備してもよい。後者の場合、店員は、適宜の板材を所要の形状及び寸法に切り抜き、次いで、切り抜いた板材にパンチで貫通孔４１，４１を開け、一面に文字又は画像を表記する。
【００８３】
箱体５には、底板６及び２枚の表記プレート４，４が夫々着脱可能に配される。表記プレート４，４及び底板６は、この順に、箱体５に配され、この逆順に箱体５から取り外される。
まず、表記プレート４，４の配置について説明する。
表記プレート４は、表面４ａが前壁５ａに対面する姿勢で配置部５６１に配されるか、又は、表面４ａが後壁５ｂに対面する姿勢で配置部５６２に配される。表記プレート４を配置部５６１に配する手順と、表記プレート４を配置部５６２に配する手順とは、略同様である。以下では、表記プレート４が配置部５６１に配される場合について説明する。
【００８４】
作業者は、表記プレート４の表面４ａを箱体５の前壁５ａ内面に対面させて、表記プレート４の下底部を箱体５の配置部５６１に挿入する。このとき、表記プレート４は、第１の突起５７，５７及び第２の突起５８，５８，…に当接して、平面視蛇行形状に撓む。そして、箱体５の第１の突起５７，５７が、表記プレート４の貫通孔４１，４１に嵌め入れられたときに、弾性復元力によって元の形状に戻る。
【００８５】
表記プレート４の厚みは配置部５６１の幅より短く、第１の突起５７，５７は貫通孔４１，４１に遊嵌する。このため、配置部５６１に配された表記プレート４の姿勢は、表面４ａと前壁５ａ内面とが対面し、且つ、表面４ａと前壁５ａ内面との間に空隙を有する姿勢である。ただし、表面４ａと前壁５ａ内面との間に形成される空隙の幅は、パチンコ玉の直径よりも小さい。即ち、この空隙にパチンコ玉を収容することはできない。
【００８６】
また、第１の突起５７，５７が貫通孔４１，４１の内周面に係止するため、表記プレート４を単純に上方へ引っ張る外力が働いたとしても、表記プレート４が配置部５６１から無用に脱離することはない。また、第２の突起５８，５８，…の先端部が表記プレート４の裏面に当接するため、表記プレート４を単純に後方へ引っ張る外力が働いたとしても、表記プレート４が配置部５６１から無用に脱離することはない。
【００８７】
次に、底板６の取り付け及び取り外しについて説明する。
底板６は、実施の形態１における底板３の箱体２に対する取り付け及び取り外しと同様に、底板６の取り付け及び取り外しされる。この場合、第１の位置関係は、箱体５と底板６との位置関係の内、前壁５ａと側壁６ａとが対面する位置関係であり、第２の位置関係は、前壁５ａと側壁６ｂとが対面する位置関係である。
【００８８】
第１の位置関係で底板６が取り付けられた場合、前壁５ａと側壁６ａとの間、及び、後壁５ｂと側壁６ｂとの間に、空間Ｓが夫々形成される。第２の位置関係で底板６が取り付けられた場合、前壁５ａと側壁６ｂとの間、及び、後壁５ｂと側壁６ａとの間に、空間Ｓが夫々形成される。各空間Ｓはスリット状であり、空間Ｓの幅は、表記プレート４の厚みよりも長い。
以下では、底板６が、底壁５ｅ内面と底壁６ｅ外面とが対面した状態で、且つ第１の位置関係で、底壁５ｅ内面に配された場合を第１の場合という。また、底板６が、底壁５ｅ内面と底壁６ｅ外面とが対面した状態で、且つ第２の位置関係で、底壁５ｅ内面に配された場合を第２の場合という。
【００８９】
第１の場合においては、各凸部６１が、第２凹部５１，５１，…の何れかに、遊びを有して嵌め入れられ（即ち遊嵌され）、凸部６１の先端部が、第２凹部５１の底面５１ａに対向配置されて当接する。また、導入孔６２の下側の開口周縁部が、第１凹部５０の底面における放電孔５４の開口周縁部に当接する。以上の結果、底壁６ｅ外面が底壁５ｅ内面に最接近し、底壁６ｅ外面が底壁５ｅ平坦面に平行に維持される。更に、導入孔６２の下側の開口が、前壁５ａ側の放電孔５４の上側の開口に連通する。
【００９０】
第２の場合においては、各凸部６１の先端部が、底壁５ｅ平坦面に当接する。また、導入孔６２の下側の開口の周縁部が、底壁５ｅ平坦面における放電孔５４の開口周縁部に当接する。以上の結果、底壁６ｅ外面が底壁５ｅ内面から離隔し、底壁６ｅ外面が底壁５ｅ平坦面に平行に維持される。更に、導入孔６２の下側の開口が、後壁５ｂ側の放電孔５４の上側の開口に連通する。
第１の場合においても第２の場合においても、各空間Ｓに、１枚の表記プレート４が、遊びを有して挿通される。
【００９１】
次に、表記プレート４の取り外しについて説明する。
表記プレート４を配置部５６１から取り外す場合、作業者は、表記プレート４を適宜に撓ませることによって第１の突起５７，５７を共に貫通孔４１，４１から引き抜き、次いで、表記プレート４を上方へ引っ張る。作業者にとって、このような作業は容易である。
【００９２】
次に、玉箱１の使用について説明する。
玉箱１は、箱体５に底板６及び表記プレート４，４を取り付けた状態で使用される。パチンコ玉は、箱体５の天側開口を通して、箱体５へ投入されるか、又は、箱体５から取り出される。箱体５へ投入されたパチンコ玉は、表記プレート４，４夫々の裏面と左壁５ｃ及び右壁５ｄ夫々の内面と底板６の上面とに囲繞された空間に収容される。このとき、投入されたパチンコ玉は、主に軟質の底板６又は表記プレート４，４に衝突するため、硬質の箱体５に直接衝突する場合よりも、消音効果が高まる。
【００９３】
しかも、前壁５ａに対面する表記プレート４は、前壁５ａ内面との間、及び、底板６の側壁６ａ又は側壁６ｂとの間に、空隙を有する。同様に、後壁５ｂに対面する表記プレート４は、後壁５ｂ内面との間、及び、底板６の側壁６ｂ又は側壁６ａとの間に、空隙を有する。このため、表記プレート４は、パチンコ玉に衝突されたときに、動揺したり、弾性変形を起こしたりすることが可能である。故に、パチンコ玉に衝突された衝撃が緩和される。この結果、パチンコ玉が表記プレート４に衝突することによって発生する騒音を低減することができる。
【００９４】
なお、配置部５６１，５６２夫々に第１の突起５７，５７も第２の突起５８，５８，…も設けられていない構成でもよい。この場合、玉箱１は、表記プレート４，４が、配置部５６１，５６２に遊挿される構成でもよく、配置部５６１，５６２に嵌入される構成でもよい。
また、玉箱１は、表記プレート４の表面４ａと、例えば前壁５ａ内面とが密着する構成でもよい。この場合、表記プレート４は、底板６が配されたときに、側壁６ａ又は側壁６ｂによって前壁５ａ内面に押し付けられる構成でもよい。表面４ａと前壁５ａ内面とが密着しても、表記プレート４は軟質であるため、前壁５ａ内面にパチンコ玉が直接衝突する場合に比べれば、騒音を低減することができる。
【００９５】
表記プレート４の表面４ａに表記されている文字又は画像は、箱体５にパチンコ玉が収容されていても、前壁５ａ又は後壁５ｂを通して視認することが可能である。このため、表記プレート４の表面４ａに、例えばパチンコ店の宣伝文句を示す文字を表記すれば、玉箱１による広告が可能であり、美的な模様を表わす画像を表記すれば、玉箱１の意匠性が向上する。
なお、表記プレート４の両面に文字又は画像が表記されている場合、表記プレート４の表面４ａに表記されている文字又は画像は、前壁５ａ（又は後壁５ｂ）を通して視認され、表記プレート４の裏面に表記されている文字又は画像は、箱体５にパチンコ玉が収容されていないか、収容されているパチンコ玉の個数が少ない場合に、箱体５の天側開口を通して視認される。
【００９６】
箱体５に配されている表記プレート４を取り外し、次いで、新たな表記プレート４を箱体５に取り付ければ、新たな表記プレート４の表面４ａに表記されている文字又は画像を遊技関係者に提示することができる。
表記プレート４は前壁５ａ又は後壁５ｂを覆う。このため、前壁５ａ又は後壁５ｂを通して、箱体５の内部を視認することは困難である。従って、前壁５ａ又は後壁５ｂを通してパチンコ玉の有無又は多寡等を把握することは困難である。
【００９７】
ところで、箱体５は透明又は半透明である。このため、表記プレート４が配されていない場合には、前壁５ａ又は後壁５ｂを通して箱体５の内部を視認すること、延いては、パチンコ玉の有無又は多寡等を把握することが可能である。
左壁５ｃ及び右壁５ｄには、取っ手５３，５３が存在する。このため、左壁５ｃ又は右壁５ｄを通して箱体５の内部を視認することは、前壁５ａ又は後壁５ｂを通す場合ほど、容易ではない。なお、左壁５ｃ及び右壁５ｄ夫々に対応する表記プレートが箱体５に配される構成でもよい。また、目隠し及び消音の効果を奏すべく、表記プレートに替えて、無地のシート又は板状部材等が、左壁５ｃ及び右壁５ｄ夫々の内面に固定的に若しくは着脱可能に配されてもよい。
【００９８】
なお、表記プレート４は、貫通孔４１，４１が形成されている構成に限定されるものではない。
図２１は、貫通孔４１，４１が形成されていない表記プレート４が箱体５に配されている場合を模式的に示す平面図である。図２１は、図２０に対応し、表記プレート４の水平断面図が含まれている。
図２１に示す表記プレート４も、表面４ａが前壁５ａに対面する姿勢で配置部５６１に配されるか、又は、表面４ａが後壁５ｂに対面する姿勢で配置部５６２に配される。表記プレート４を配置部５６１に配する手順と、表記プレート４を配置部５６２に配する手順とは、略同様である。以下では、表記プレート４が配置部５６１に配される場合について説明する。
【００９９】
作業者は、表記プレート４の表面４ａを箱体５の前壁５ａ内面に対面させて、表記プレート４の下底部を箱体５の配置部５６１に挿入する。このとき、表記プレート４は、第１の突起５７，５７及び第２の突起５８，５８，…に当接して、平面視蛇行形状に撓む。そして、表記プレート４は、撓んだ状態のまま、表記プレート４の弾性復元力によって、第１の突起５７，５７と第２の突起５８，５８，…との間にて挟持される。この場合、表記プレート４が配置部５６１から無用に脱離することが抑制される。
【０１００】
なお、箱体５は、部分的に不透明であってもよい。例えば、箱体５は、前壁５ａが透明又は半透明であり、後壁５ｂが不透明である構成でもよい。この場合、箱体５には、前壁５ａに対面する表記プレート４のみが配してあればよい。
【０１０１】
使用された玉箱１は、例えば清掃作業者によって清掃される。清掃作業者は、ウエス又は雑巾等の柔軟な清掃具を用いて箱体５及び底板６を個別に拭き掃除する。第１凹部５０及び第２凹部５１，５１，…夫々の隅は鈍角状であるため、汚れが溜まり難い。しかも、清掃具を把持した清掃作業者の指を挿入することができるため、清掃具を把持した清掃作業者の指で、隅々まで容易に清掃することができる。従って、玉箱１は汚れ難い上に、清潔に保つことが容易である。
【０１０２】
ところで、箱体５は、複数個の第２凹部５１，５１，…に替えて、複数個の貫通孔が底壁５ｅ内面に設けられている構成でもよい。この貫通孔は、例えば、第２凹部５１の底面５１ａが存在しないような形状及び寸法を有している。ただし、この貫通孔の少なくとも下側の開口寸法は、パチンコ玉の直径よりも小さいことが望ましい。
底面５１ａが存在しないため、貫通孔の内部には、第２凹部５１よりも更に汚れが溜まり難い。しかも、貫通孔の内部は第２凹部５１と同様に清掃し易い。
【０１０３】
今回開示された実施の形態は、全ての点で例示であって、制限的なものではないと考えられるべきである。本考案の範囲は、上述した意味ではなく、実用新案登録請求の範囲と均等の意味及び実用新案登録請求の範囲内での全ての変更が含まれることが意図される。
また、本考案の効果がある限りにおいて、玉箱１に、実施の形態１，２に開示されていない構成要素が含まれていてもよい。
【符号の説明】
【０１０４】
１    玉箱
２，５  箱体
２ｅ，５ｅ  底壁
２１  第２凹部（凹部）
２１ａ  底面（対向面）
２１ｂ  傾斜面
３，６  底板
３１  凸部
４    表記プレート（板状部材）
４ａ  表面（一面）
５ａ  前壁（側壁）
５ｂ  後壁（側壁）
５６１，５６２  配置部
５７  第１の突起
５８  第２の突起
Ｓ    空間
【図１】
0003178995.tif 000003
【図２】
0003178995.tif 000004
【図３】
0003178995.tif 000005
【図４】
0003178995.tif 000006
【図５】
0003178995.tif 000007
【図６】
0003178995.tif 000008
【図７】
0003178995.tif 000009
【図８】
0003178995.tif 000010
【図９】
0003178995.tif 000011
【図１０】
0003178995.tif 000012
【図１１】
0003178995.tif 000013
【図１２】
0003178995.tif 000014
【図１３】
0003178995.tif 000015
【図１４】
0003178995.tif 000016
【図１５】
0003178995.tif 000017
【図１６】
0003178995.tif 000018
【図１７】
0003178995.tif 000019
【図１８】
0003178995.tif 000020
【図１９】
0003178995.tif 000021
【図２０】
0003178995.tif 000022
【図２１】
0003178995.tif 000023